(57)【要約】    【課題】  落葉・枯草等集積物を減容・圧縮した状態で収容する減容・圧縮袋に用いるノズル具において、減容・圧縮袋から吸引・脱気際、落葉等が目詰まりすることが無いようにする。    【解決手段】  吸引ノズル１０は、塩化ビニルで筒状に形成され、内部に吸引した空気が通る連通孔１１が形成されている。先端側（減容・圧縮袋の挿入される側）開口部１２には、目詰まり防止材２０が設けられている。目詰まり防止材２０は、直径方向に掛け渡された円弧状の線状材２１が２本突出形成されている。目詰まり防止材２０は４分割された状態で形成されており、各線状材２１間に空間２２が４個形成されている。吸引ノズル１０の基端側は、一段径が小さい中間連結部１３が形成されており、この連結部１３には連結用ノズル４０が連結される。連結用ノズル４０には、内部にメッシュ部材４４が形成されている。連結用ノズル４０の連結部４３には吸引装置の吸引管開口部３０が連結される。【選択図】  図１
2014083115.tif 000002
【特許請求の範囲】
【請求項１】
落葉・枯草等集積物を収容する減容・圧縮袋に挿入して減容・圧縮袋内の空気を吸引する減容・圧縮袋用ノズル具であって、吸引用ノズルと連結用ノズルとからなり、該吸引用ノズルが、内部に連通孔を有する筒状に形成されるとともに、先端の開口部において開口部から突出した状態で開口部を覆い開口部を少なくとも３分割する線状の目詰まり防止材と、該連結ノズルに連結する吸引側連結部とを有し、該連結ノズルが、内部に連通孔を有する筒状に形成されるとともに、該連通孔全面に形成されたメッシュ部材と、該吸引用ノズルの吸引側連結部に連結される連結側連結部と、吸引装置の吸引管先端開口部に連結される連結部とを有することを特徴とする減容・圧縮袋用ノズル具。
【請求項２】
前記目詰まり防止材の開口部からの突出長さは、その最大突出長さにおいて、開口部の直径の１／２〜３／１であることを特徴とする請求項１記載の減容・圧縮袋用ノズル具。
【請求項３】
前記目詰まり防止材が、円弧状に形成されている請求項１又は２記載の減容・圧縮袋用ノズル具。
【請求項４】
前記請求項１、２又は３記載の減容・圧縮袋用ノズル具と、該減容・圧縮袋用ノズルにより減容・圧縮される減容・圧縮袋とからなる落葉・枯草等集積物の減容・圧縮器具であって、該減容・圧縮袋は、Ｏ−ＮＹ層とＬＬＤＰＥ層からなる積層フィルムで形成され、ＬＬＤＰＥ層が内面に配置されていることを特徴とする落葉・枯草等集積物の減容・圧縮器具。
【発明の詳細な説明】
【技術分野】
【０００１】
本発明は、落葉・枯草等集積物を減容・圧縮した状態で収容する減容・圧縮袋に用いるノズル具に関し、また、このノズル具を用いた落葉・枯草等集積物の減容・圧縮器具に関するものである。
【背景技術】
【０００２】
一般に、日本家屋においては居住空間が狭いため、嵩ばる物は出来るだけ嵩ばらないように収納して保管する工夫が行なわれている。例えば、その代表的な例が、「ふとん圧縮袋」の利用である。すなわち、冬用の布団や衣類は、保温性を確保するために、内部に空気を多く保持する構造が採用され、その空気層の断熱効果により保温性を高めるようになっている。したがって、これら冬用の布団等は嵩張り、その収納に大きい空間が必要となっていた。
【０００３】
そこで、開口部に気密性を確保できるチャックを設けるとともに、脱気用のアダプターを設けたプラスチックフイルム製の袋（所謂「ふとん圧縮袋」）を用い、チャックを開いてふとん等を収容した後、チャックを閉め、次いで脱気用のアダプターの蓋を開けて家庭用電気掃除機のノズルを接続して吸引・脱気することにより、ふとん等を減容・圧縮して保管している。このような「ふとん圧縮袋」の製造方法に関しては特許文献１等において開示され、また、脱気用のアダプターに関しては特許文献２、３参照等において開示されている。
【０００４】
さらに、家庭における一般可燃ゴミ、例えば紙屑、空箱等の嵩張る物を減容するゴミ減容用掃除機接続器が提案されている（特許文献４等参照。）。このゴミ減容用掃除機接続器は、先端に多孔構造の吸着防止保護カバーを設けたもので、この吸着防止保護カバーにより、ゴミや袋の吸引口への吸着を防止しようとするものである。
【０００５】
ところで、里山等においては、雑木林の落葉や枯草等は集積されて堆肥や腐葉土に利用されている。その際、堆肥や腐葉土はその場に集積して発酵・製造する場合もあるが、大量に製造する場合は、周辺地域から広く落葉や枯草等を一箇所に集める必要があった。従来、このような場合は、落葉や枯草等をトラックの荷台にそのまま積載し、堆肥等の製造場所へ運搬していた。したがって、落葉等の運搬効率が極めて悪く、減容・圧縮して効率よく運搬できるようにすることが要望されていた。
【０００６】
また、２０１１年３月の東日本大震災による福島原発の事故が起こり、放射能汚染が拡がりその除染作業が行なわれている。除染は落葉や草、表土の除去、家屋等の洗浄が主であり、落葉や草は嵩がはり、運搬や保管するにもその減容・圧縮が急務となっている。
【先行技術文献】
【特許文献】
【０００７】
【特許文献１】特開平７−２４６６７０号公報
【特許文献２】特開２００８−１８８２９０号公報
【特許文献３】特開２００９−０２３６９６号公報
【特許文献４】特開２００６−３１４７５３号公報
【発明の概要】
【発明が解決しようとする課題】
【０００８】
上述したように、落葉、枯草等を減容・圧縮する方法が要望されていたが、未だ解決されていないものであった。
【０００９】
また、前記「ふとん圧縮袋」を利用することも考えられるが、その収容物の相違により、そのまま利用することは出来ないものであった。すなわち、「ふとん圧縮袋」においては、脱気用のアダプターが、逆流防止機構等で細部の狭い空気の通路で構成されている場合が多く、落葉の細片やゴミ等が目詰まりし、使用することが出来なかった。
【００１０】
さらに、前記ゴミ減容用掃除機接続器においては、吸着防止保護カバーが網目球状の場合は、網目が小さいとき、一枚葉が球状網目に重なって張り付いて塞いだり、千切れた落葉が網目に詰まったりし、網目が大きいとき、千切れた落葉が吸引される。煙突の傘型の場合は、落葉がそのまま吸引されることとなり、櫛型の場合は、落葉が張り付いて塞ぐものである。側周多孔のパイプ型や、表面凸凹の多孔構造は、落葉が孔を塞いだり、千切れた落葉が孔の目詰まりを起こし、いずれの場合であっても、一枚落葉や、千切れた落葉の吸引を同時に防止することが出来なかった。したがって、目詰まりが発生し易く、かつ、吸引装置に千切れた落葉等が吸引されるのを防止することが出来ないものであった。
【００１１】
本発明は以上の問題点を解決し、吸引・脱気時に落葉等が目詰まりすることが無く、かつ落葉等の細かい破片であっても吸引装置に吸引されるのを防止することが出来る落葉・枯草等集積物の減容・圧縮袋用ノズル具及び減容・圧縮器具を提供することを目的とする。
【課題を解決するための手段】
【００１２】
本発明の請求項１に係る減容・圧縮袋用ノズル具は、落葉・枯草等集積物を収容する減容・圧縮袋に挿入して減容・圧縮袋内の空気を吸引する減容・圧縮袋用ノズル具であって、吸引用ノズルと連結用ノズルとからなり、該吸引用ノズルが、内部に連通孔を有する筒状に形成されるとともに、先端の開口部において開口部から突出した状態で開口部を覆い開口部を少なくとも３分割する線状の目詰まり防止材と、該連結ノズルに連結する吸引側連結部とを有し、該連結ノズルが、内部に連通孔を有する筒状に形成されるとともに、該連通孔全面に形成されたメッシュ部材と、該吸引用ノズルの吸引側連結部に連結される連結側連結部と、吸引装置の吸引管先端開口部に連結される連結部とを有することを特徴として構成されている。
【００１３】
本発明の請求項２に係る減容・圧縮袋用ノズル具は、請求項１記載の減容・圧縮袋用ノズル具において、目詰まり防止材の開口部からの突出長さが、その最大突出長さにおいて、開口部の直径の１／２〜３／１であることを特徴として構成されている。
【００１４】
本発明の請求項３に係る減容・圧縮袋用ノズル具は、請求項１又は２記載の減容・圧縮袋用ノズル具において、目詰まり防止材が、円弧状に形成されていることを特徴として構成されている。
【００１５】
本発明の請求項４に係る落葉・枯草等集積物の減容・圧縮器具は、請求項１、２又は３記載の減容・圧縮袋用ノズル具と、該減容・圧縮袋用ノズルにより減容・圧縮される減容・圧縮袋とからなる落葉・枯草等集積物の減容・圧縮器具であって、該減容・圧縮袋は、Ｏ−ＮＹ層とＬＬＤＰＥ層からなる積層フィルムで形成され、ＬＬＤＰＥ層が内面に配置されていることを特徴として構成されている。
【発明の効果】
【００１６】
本発明の請求項１に係る減容・圧縮袋用ノズル具においては、先端の開口部において開口部から突出した状態で開口部を覆い開口部を少なくとも３分割する線状の目詰まり防止材が形成されているので、減容・圧縮袋に開口部を挿入して吸引・脱気する際、目詰まり防止材により落葉・枯草等は、吸引装置の吸引管に吸い込まれるのが防止される。また、目詰まり防止材は全体形状が立体形状となっているので、目詰まり防止材間の空間（目詰まり防止材は開口部を３分割するように形成されているので、少なくとも３個の空間が形成されている。）が大きいものとなっている。したがって、落葉等が目詰まり防止材の表面に付着した場合であっても、吸引に十分なだけの空間を確保することが出来るので、目詰まりすることが無い。
【００１７】
また、連結用ノズルには、連通孔全面にメッシュ部材が形成されているので、落葉が千切れたもの等が、目詰まり防止材を通過して吸引された場合であっても、メッシュ部材により補足されて吸引装置まで達することが無い。さらに、吸引用ノズルと連結用ノズルとは中間連結部で連結自在となっているので、吸引用ノズルを連結用ノズルから取り外すことにより、連結用ノズルの連通孔を開口させることが出来るので、メッシュ部材に補足された枯葉等を簡単に除去することが出来る。
【００１８】
本発明の請求項２に係る減容・圧縮袋用ノズル具においては、目詰まり防止材の開口部からの突出長さが、その最大突出長さにおいて、開口部の直径の１／２〜３／１である。開口部の直径の１／２未満であると、目詰まりを効果的に防止できない恐れがあり、３／１を超えると、目詰まり防止材の強度を保持するための加工が必要な場合がある。すなわち、突出長さを長くすることにより、目詰まり防止材の表面積を大きくすることができ、その結果、落葉等が補足されても吸引する空間を確保することが出来る。したがって、突出長さが開口部の直径の1／２未満の場合は、表面積が小さく、吸引する空間も落葉等により塞がれる恐れが大きい。
【００１９】
本発明の請求項３に係る減容・圧縮袋用ノズル具においては、目詰まり防止材が、円弧状に形成されているので、落葉・枯草等が円弧状の目詰まり防止材の表面に沿って移動して行き、目詰まり防止材の表面に付着するのを防止することが出来る。
【００２０】
本発明の請求項４に係る減容・圧縮器具は、減容・圧縮袋が、Ｏ−ＮＹ層とＬＬＤＰＥ層からなる積層フィルムで形成されているので、Ｏ−ＮＹ層が、枝等が突き刺さることによる破袋を防止するとともに、落葉等が腐敗した時の悪臭が外部へ拡散するのを防止することが出来る。
【図面の簡単な説明】
【００２１】
【図１】本発明の減容・圧縮袋用ノズル具に用いる吸引ノズルの第１実施例の斜視図
【図２】本発明の減容・圧縮袋用ノズル具に用いる吸引ノズルの第１実施例の側面図
【図３】本発明の減容・圧縮袋用ノズル具に用いる吸引ノズルの第１実施例の正面図
【図４】本発明の減容・圧縮袋用ノズル具に用いる連結ノズルの第１実施例の斜視図
【図５】本発明の減容・圧縮袋用ノズル具に用いる連結ノズルの第１実施例の側面図
【図６】本発明の減容・圧縮袋用ノズル具に用いる連結ノズルの第１実施例の正面図
【図７】本発明の減容・圧縮袋用ノズル具に用いる連結ノズルの第１実施例の縦断面図
【図８】本発明の減容・圧縮器具に用いる減容・圧縮袋の斜視図
【図９】本発明の減容・圧縮袋用ノズル具において吸引用ノズルに連結用ノズルを連結した状態を示す側面図
【図１０】本発明の減容・圧縮器具において吸引・脱気時の状態を示す模式図
【図１１】本発明の減容・圧縮器具において吸引・脱気が終了し減容・圧縮状態を示す模式図
【図１２】本発明の減容・圧縮袋用ノズル具に用いる吸引ノズルの第２実施例の先端部分の側面図
【図１３】本発明の減容・圧縮袋用ノズル具に用いる吸引ノズルの第３実施例の先端部分の側面図
【図１４】本発明の減容・圧縮袋用ノズル具に用いる吸引ノズルの第３実施例の正面図
【図１５】本発明の減容・圧縮袋用ノズル具に用いる吸引ノズルの第４実施例の正面図
【発明を実施するための形態】
【００２２】
本発明の減容・圧縮袋用ノズル具は、吸引用ノズルを有しており、この吸引用ノズルは、内部に連通孔を有する筒状に形成されるとともに、先端の開口部において開口部から突出した状態で開口部を覆う少なくとも３分割された線状の目詰まり防止材を有している。この目詰まり防止材は、落葉・枯草当を収容した減容・圧縮袋内の空気を吸引する際、吸引用ノズル内に（ひいては吸引装置内に）落葉等が入り込まないようにするためのもので、目詰まり防止材が落葉等の障害物となり、落葉等が目詰まり防止材に引っかかったり、目詰まり防止材の表面で滑って吸引ノズル外へ導いたりすることにより、吸引ノズル内へ落葉等が浸入するのを防止するものである。
【００２３】
また、目詰まり防止材は、立体的に構成されているので（すなわち、目詰まり防止材が形成する表面積が大きくなっているので）、目詰まり防止材間の空間が大きくなっている。したがって、落葉等が目詰まり防止材に引っ掛かって空間を塞いだとしても、塞がれない空間が多く残っており、その結果、目詰まりすること無く、吸引を継続することが出来るものである。例えば、目詰まり防止材を、開口部の半径と同一長さの半円状に形成した場合、目詰まり防止材で構成される表面は、開口部の半径と同一長さの半球状となるので、その表面積は、開口部の面積の２倍となる。
【００２４】
さらに、立体的な形状であるので、目詰まり防止材は、先端から開口部に近づくに従って、中心線から周縁方向に斜めに位置することとなる。したがって、目詰まり防止材に当接した落葉等は、目詰まり防止材により外側方向に力が付与され、その結果、目詰まり防止材に引っかかった状態で留まることが無いものである。
【００２５】
以上のように、目詰まり防止材は、落葉等の吸引ノズル内への浸入を防止するとともに、吸引する空間を確保するものであるので、吸引ノズルの開口部の大きさ及び収容した落葉等の大きさを考慮して、その形状、数等を決定すればよい。例えば、形状としては、円弧状、台形状等を採用することが出来るが、吸引方向と直角の面が無く、落葉等を効率よく排除できるので円弧状が好ましい。数としては、開口部を少なくとも３分割するものであれば初期の目的を達成することができ、開口部の大きさ等により適宜増やしていけばよい。また、目詰まり防止材の開口部からの突出長さは、その最大突出長さにおいて、開口部の１／２〜３／１であることが好ましい。開口部の１／２未満であると、目詰まりを効果的に防止できない恐れがあり、３／１を超えると、目詰まり防止材の強度を保持するための加工が必要な場合がある。さらに、目詰まり防止材は、線状に形成されているが、この線状は、断面が円形状の他、三角形状、正方形状、長方形状等であってもよい。
【００２６】
また、吸引用ノズルには、連結用ノズルに連結する中間連結部が形成されている。この中間連結部は、連結用ノズルの中間連結部と連結した際、気密に連結できる構造であればよい。
【００２７】
本願発明の減容・圧縮袋用ノズル具は、以上のような吸引用ノズルに連結用ノズルを連結して一体として構成するものである。この連結用ノズルは、吸引用ノズルと吸引装置との間に連結するもので、吸引用ノズルと同様に連通孔を有する筒状に形成されるとともに、この連通孔全面に形成されたメッシュ部材を有するものである。そして、このメッシュ部材により、千切れた落葉等が吸引用ノズルを通り抜けてきたとしても、吸引装置に吸い込まれるのを防止するものである。このメッシュ部材のメッシュの大きさは、小さいと目詰まりする恐れがあり、大きいと吸引装置に吸い込まれる恐れがあるので、これらを考慮して約３〜約５ｍｍ程度が好ましい。
【００２８】
また、連結用ノズルの一方の側に、前記吸引用ノズルの中間連結部と連結する中間連結部が形成されており、この中間連結部は吸引用ノズルの中間連結部と着脱自在に連結されるようになっている。さらに、反対側に、吸引装置の先端開口部に連結する連結部が形成されている。例えば、吸引装置として掃除機を用いる場合、掃除機の先端開口部に連結できるように円筒状に形成する。
【００２９】
本発明に用いる減容・圧縮袋は、落葉や枯草を収容する袋本体と、袋本体の開口部に形成された気密に開閉自在な開閉部材とで構成されている。袋本体は、直鎖状低密度ポリエチレン（ＬＬＤＰＥ）フイルムと、二軸延伸ナイロン（Ｏ−ＮＹ）フイルムとを積層した積層フイルムで形成され、ＬＬＤＰＥ層を内面に、Ｏ−ＮＹ層を外面に配置している。ＬＬＤＰＥ層は、引張強度が大きく、またチャック（開閉部材）のフイルム台紙（ＨＤＰＥ）にヒートシールで接合する役割を担う。Ｏ−ＮＹ層は、突き刺し強度が大きく木の小枝による破袋を防止することが出来、また臭気のバリヤー性が大きいので、落ち葉等が腐敗したときに発生する悪臭が袋外部へ拡散するのを防止することが出来る。
【００３０】
積層フイルムを製造するには、Ｏ−ＮＹフイルムとＬＬＤＰＥフイルムとをドライラミネート法で積層する方法が、安価に製造することが出来る。ドライラミネート法に用いる接着剤は、主剤と硬化剤による２液硬化型による接着剤がポリエーテル系の１液硬化型の接着剤より強固に接着できるので好ましい。主剤は、ポリエーテル系及びポリエステル系の主剤があるがどちらでも良い。硬化剤は、イソシアネートの硬化剤が用いられ、代表的な物としてイソホロンジイソシアネート（ＩＰＤＩ）、トルエンジイソシアネート（ＴＤＩ）、ヘキサメチルジイソシアネート（ＨＤＩ）等が上げられる。
【００３１】
積層フイルムの厚みは、市販で入手できる最大厚みのＯ−ＮＹフイルム２５μｍとＬＬＤＰＥフイルム１００μｍ以上、全厚み１２５μｍ以上が好ましい。
【００３２】
減容・圧縮袋の形状は、四方をシールした平袋でも、底部を有するスタンディング袋でもよいが、スタンディング袋の方が、より多くの量を収容出来るので好ましい。また、開口部には、開閉部材が形成されている。この開閉部材は、開閉自在であって、気密に保持できるものであれば特に限定されない。例えば、開口部の一方の内面側に雄型を設けるとともに、他方の内面側に雌型を設け、これらを嵌合させる方式の開閉部材、所謂「チャック」があり、これら雄型及び雌型をＨＤＰＥで形成し、前記ＬＬＤＰＥ層にヒートシールにより固着する。
【００３３】
以上のような減容・圧縮袋容ノズル具と減容・圧縮袋とからなる落葉・枯草等集積物の減容・圧縮器具を用いて落葉・枯草当集積物を減容・圧縮するには、まず、吸引用ノズルと連結用ノズルとをお互いの中間連結部を連結することにより一体とし、さらに、連結用ノズルの連結部に吸引装置の吸引装置（電気掃除機等）吸引管先端開口部を連結する。次に、減容・圧縮袋に落葉・枯草等を収容した後、吸引用ノズルの先端を挿入した状態で開閉部材を吸引用ノズルに当接するまで閉める。そして、吸引装置（電気掃除機等）を駆動して吸引する。すると、吸引用ノズルの開口部から内部の空気を吸引して減容・圧縮用袋を脱気する。この時、吸引用ノズルの吸引により、収容された落葉・枯草等も吸引用ノズルの開口部に吸引されて行くが、開口部に達する前に目詰まり防止材に当接し、大部分は目詰まり防止材表面を滑って排除され開口部には達することが無く、また、一部は目詰まり防止材に引っかかり付着した状態で留まるので、これもまた開口部に達することが無い。
【００３４】
また、吸引用ノズルの目詰まり防止材を掻い潜って吸引された落葉等の千切れたものは、連結用ノズルのメッシュ部材により補足され、吸引装置まで達することが無い。この連結用ノズルに補足された落葉等は、連結用ノズルを吸引用ノズルから離脱させることにより、簡単に取り除くことが出来る。
【００３５】
本願発明の一実施例を図面を参照して説明する。
図１は本発明の減容・圧縮袋用ノズル具に用いる吸引ノズルの第１実施例の斜視図、図２は同上側面図、図３は同上正面図である。
【００３６】
これらの図において、吸引ノズル１０は、塩化ビニルで筒状に形成され、内部に吸引した空気が通る連通孔１１が形成されている。そして、先端側（減容・圧縮袋に挿入される側）開口部１２には、目詰まり防止材２０が設けられている。この目詰まり防止材２０は、直径方向に掛け渡された円弧状の線状材２１が２本突出形成されている。したがって、目詰まり防止材２０は開口部１２を４分割した状態で形成されており、各線状材２１間に空間２２が４個形成されている。吸引ノズル１０の基端側は、一段径が小さい中間連結部１３が形成されており、この中間連結部１３には連結用ノズルの中間連結部が連結される。
【００３７】
この時、開口部１２の直径をａ、目詰まり防止材の最大突出長さをｂとすると、ｂ＝（１／２〜３／１）ａに設定する。
【００３８】
図４は本発明の減容・圧縮袋用ノズル具に用いる連結用ノズルの斜視図、図５は同上側面図、図６は同上正面図、図７は同上縦断面図である。
【００３９】
これらの図において、連結用ノズル４０は、塩化ビニルで筒状に形成され、内部に吸引した空気が通る連通孔４１が形成されており、一方の端部側に吸引ノズル１０が連結される中間連結部４２が形成されるとともに、他方の端部側に吸引装置の吸引管開口部３０が連結される連結部４３が形成されている。また、連通孔４２の内部において、中間連結部４２と連結部４３との境界部分には、メッシュ部材４４が設けられている。
【００４０】
図８は本発明の減容・圧縮器具に用いる減容・圧縮袋の斜視図である。
この図において、減容・圧縮袋５０は、落葉・枯草等を収容する袋本体５１と、その開口部に形成されたチャック（開閉部材）５２とで構成されている。
【００４１】
次に、以上のような吸引用ノズル１０、連結用ノズル４０及び減容・圧縮袋５０を用いて落葉・枯草等を圧縮収容する方法について説明する。
【００４２】
図９は吸引用ノズル１０に連結用ノズル４０を連結した状態を示す側面図、図１０は吸引・脱気時の状態を示す模式図、図１１は吸引・脱気が終了し減容・圧縮状態を示す模式図である。
【００４３】
まず、図９に示すように、吸引用ノズル１０の中間連結部１３を連結用ノズル４０の中間連結部４２に嵌合して連結固定し、さらに、連結用ノズル４０の連結部４３を吸引装置の吸引管先端開口部３０に嵌合して連結固定する。次に、図１０に示すように、落葉・枯草等を収容した減容・圧縮袋５０に吸引用ノズル１０を挿入し、さらにチャック５２を吸引用ノズル１０に略当接する位置まで閉める。この状態で吸引装置を駆動し、吸引用ノズル１０から減容・圧縮用袋５０内の空気を吸引する。この時、落葉・枯草等が吸引ノズル１０に吸引されるが、目詰まり防止材２０により妨げられて吸引用ノズル１０内に進入することが無い。また、仮に進入したとしても、連結用ノズル４０のメッシュ部材４４に補足されるので、吸引装置まで達することが無い。そして、図１１に示すように、吸引用ノズル１０を抜き出し、チャック５２を完全に閉じる。
【００４４】
本発明の減容・圧縮袋用ノズル具に用いる吸引ノズルの第２実施例について説明する。図１２は吸引用ノズルの先端部分の側面図であり、この吸引用ノズル２０の目詰まり防止材２０は、４分割された状態で形成されており、楕円状の各線状材２１間に空間２２が４個形成されている。
【００４５】
本発明の減容・圧縮袋用ノズル具に用いる吸引ノズルの第３実施例について説明する。図１３は吸引用ノズルの先端部分の側面図、図１４は吸引用ノズルの正面図であり、この吸引用ノズル２０の目詰まり防止材２０は、４分割された状態で形成されており、台形状の各線状材２１間に空間２２が４個形成されている。
【００４６】
本発明の減容・圧縮袋用ノズル具に用いる吸引ノズルの第４実施例について説明する。図１５は吸引用ノズルの正面図であり、この吸引用ノズル２０の目詰まり防止材２０は、６分割された状態で形成されており、各線状材２１間に空間２２が６個形成されている。
【実施例】
【００４７】
〔減容・圧縮袋の作製〕
中島精機エンジニアリング（株)製ドライラミネート機ＬＸ−３にヘリオ彫刻によるスクリーン線数９５線のグラビアロールをセットし、東洋モートン（株)製ウレタン接着剤（主剤：ＴＭ−５６９、硬化剤：ＣＡＴ−ＲＴ３７、溶剤：酢酸エチルエステル）を、東洋紡績（株)製Ｏ−ＮＹフイルム（ハーデンＮ１１００：２５μ厚、１２０ｍｍ巾）のコロナ処理面に、加工速度１０００ｍ／ｍｉｎで塗布し、熱風温度６５℃、７５℃、７０℃の３ゾーンの乾燥後、東セロ（株)製ＬＬＤＰＥフイルム（ＴＵＸＴＣＳ：１２０μ厚、１２０ｍｍ巾）のコロナ処理面に重ね合わせ、ニップ圧１８ｋｇ−ｃｍの線圧で貼合した。この貼合した積層フイルムを４６℃の恒温室で３日間エージングを行い、減容・圧縮袋用の積層フイルムを作製した。
【００４８】
この積層フイルムを用い、図８に示すようなスタンディング袋形状の減容・圧縮袋を作製した。この減容・圧縮袋は、開口部巾：２０００ｍｍ、高さ：１１００ｍｍ、底面部：２０００ｍｍ長×７４０ｍｍ巾で、開口部に、異形押出し成形で形成された雄型及び雌型のＨＤＰＥ製のチャック（開閉部材）のフイルム台紙を、両内面となるＬＬＤＰＥ層にヒートシールにより形成した。
【００４９】
〔吸引用ノズルと連結用ノズルの作製〕
吸引用ノズルは、塩化ビニル管を加工して図１、２、３に示す吸引ノズル１０を作製した。吸引ノズル１０の外径を４０ｍｍ、内径（開口部径）ａを３２ｍｍとした。また、目詰まり防止材２０は、径２ｍｍの針金２本を突出長さｂが３２ｍｍで直径方向に円弧状に掛け渡して形成した。中間連結部１３は、外径３２ｍｍ、内径２５ｍｍで形成した。
【００５０】
連結用ノズルは、塩化ビニル管を加工して図４、５、６、７に示す連結用ノズル４０を作製した。中間連結部４２は、外径４０ｍｍ、内径３２ｍｍとし、連結部４３は、外径３２ｍｍ、内径２５ｍｍとした。メッシュ部材は、径１ｍｍの針金で３ｍｍ間隔とした。
【００５１】
〔吸引装置〕
日立製作所（株)製業務用電気掃除機ＣＶ−１０４Ｅを吸引装置として用いた。
【００５２】
〔落葉・枯草等の減容・圧縮方法〕
福島県における除染作業で集められ、１ヶ月間保管されていた落葉、小枝、草等から成る集積物を、上記減容・圧縮袋に収容した。一方、上記吸引用ノズルと連結用ノズルとを連結して一体とし、連結用ノズルの連結部に日立製作所（株)製業務用電気掃除機ＣＶ−１０４Ｅの吸引管先端開口部を連結した。そして、吸引用ノズルを減容・圧縮袋の開口部に差し込んだ後、チャックを吸引ノズルに当接するまで閉めた。このような状態で電気掃除機を駆動し、１分間吸引・脱気した後、吸引用ノズルを引き出しチャックを完全に閉じた。
【００５３】
吸引はスムーズで目詰まりになること無く、減容・圧縮作業は完了した。また、径１．０〜１．５ｃｍ位の小枝も多数混入していたが、減容・圧縮袋に穴があいたり、破れたりすることは無かった。
【００５４】
次に、以上のようにして落葉等を収容した減容・圧縮袋を、保管用の１ｔｏｎフレコンバックに収納できるだけ収納した（２〜３袋）。
【００５５】
上記減容・圧縮袋を用いて落葉等を収容した場合（実施例）と、減容・圧縮袋を用いずにそのまま直接１ｔｏｎフレコンバックに収容した場合（従来例）との、収容できる落葉等の重量を比較した。結果を表１に示す。
【００５６】
【表１】
2014083115.tif 000003
【００５７】
表１の結果より、減容・圧縮袋を用いた場合は、減容・圧縮袋を用いずにそのまま収容した場合に比して、落葉等の容積を約１／２に減容・圧縮出来ることが確認された。
【００５８】
また、落葉等の収容後２日経過したフレコンバックの腐敗臭の有無を検査した結果、減容・圧縮袋を用いずそのまま収容したものは、落葉等の腐敗臭があったが、減容・圧縮袋を用いて収容したものは、腐敗臭が無かった。これは減容・圧縮袋を形成した積層フイルムのＯ−ＮＹ層が、腐敗臭が外部へ拡散するのを防止したものと思われる。
【符号の説明】
【００５９】
１０  吸引用ノズル
１１  連通孔
１２  開口部
１３  中間連結部
２０  目詰まり防止材
２１  線状材
２２  空間
３０  吸引管開口部（吸引装置）
４０  連結用ノズル
４１  連通孔
４２  中間連結部
４３  連結部
４４  メッシュ部材
【図１】
2014083115.tif 000004
【図２】
2014083115.tif 000005
【図３】
2014083115.tif 000006
【図４】
2014083115.tif 000007
【図５】
2014083115.tif 000008
【図６】
2014083115.tif 000009
【図７】
2014083115.tif 000010
【図８】
2014083115.tif 000011
【図９】
2014083115.tif 000012
【図１０】
2014083115.tif 000013
【図１１】
2014083115.tif 000014
【図１２】
2014083115.tif 000015
【図１３】
2014083115.tif 000016
【図１４】
2014083115.tif 000017
【図１５】
2014083115.tif 000018